(57)【要約】【課題】カラー印刷の印刷物の色を液晶カラーディスプレイ上で再現可能としたり、ポスターや絵画等を屋内で鑑賞する際に色再現性を高めたりできる照明装置を提供する。【解決手段】照明装置１３は、一対の電極２４，２５間に少なくとも電界の印加により発光し得る有機層２６が挟まれた有機ＥＬ素子２７を発光源として備えている。有機ＥＬ素子２７は、基板２８側から第１の電極２４、有機層２６及び第２の電極２５が順に積層されて形成されている。有機層２６は、第１の電極２４側から順に正孔輸送層３０、発光層３１及び電子輸送層３２が積層されて形成されている。発光層３１は、赤色光、緑色光、青色光及びシアン色光の発光層３１ａ，３１ｂ，３１ｃ，３１ｄがそれぞれ互いに重ならない状態に形成されて構成されている。【選択図】      図１
2006024648.tif 000002
【特許請求の範囲】
【請求項１】
一対の電極間に少なくとも電界の印加により発光し得る有機層が挟まれた有機ＥＬ素子を発光源として備えた照明装置であって、前記有機ＥＬ素子は、赤色光、緑色光、青色光の他にシアン色光に対応する発光ピークを有する照明装置。
【請求項２】
前記シアン色光の発光ピークは波長域が４８５ｎｍ〜５０５ｎｍの範囲にある請求項１に記載の照明装置。
【請求項３】
前記有機層は、赤色光、緑色光、青色光及びシアン色光の発光層がそれぞれ互いに重ならない状態に形成されている請求項１又は請求項２に記載の照明装置。
【請求項４】
前記照明装置は液晶表示装置のバックライト用の照明装置である請求項１〜請求項３のいずれか一項に記載の照明装置。
【発明の詳細な説明】
【技術分野】
【０００１】
本発明は、照明装置に係り、詳しくは白色発光を行うＥＬ素子（エレクトロルミネッセンス素子）を光源として備えた照明装置に関する。
【背景技術】
【０００２】
一般に、テレビ受像機やパーソナルコンピュータ（パソコン）のモニターなどのカラーディスプレイでは、赤（Ｒ）、緑（Ｇ）、青（Ｂ）の３原色を用い、加法混色といわれる色混合方式によりカラー画像を表現している。現在の一般的なカラーディスプレイは、赤、緑、青のサブ画素から１画素が構成されており、白色光源の光を赤、緑、青のカラーフィルタを透過させることで３原色として使用している。
【０００３】
現在、白色光源として多く用いられているのは、蛍光灯及び白色発光ダイオード（白色ＬＥＤ）である。蛍光灯（３波長管）は、Ｒ、Ｇ、Ｂの３波長部分に殆どの発光強度が分布している。白色ＬＥＤには青を発光させ、青色光をフィルタを通して変換してオレンジ色を作り、青色及びオレンジ色で擬似的な白色光を作る青変換の構成と、Ｒ、Ｇ、Ｂのそれぞれの中心波長部分のみに発光強度がある構成とがある。
【０００４】
近年、液晶カラー表示装置のバックライトとして白色発光の有機ＥＬ素子を使用することが提案されている（例えば、特許文献１参照。）。有機ＥＬ素子で白色発光を行わせるには、ＲＧＢの３原色を発光させる方法と、例えば、青色と黄色などの補色関係の色を発光させる方法とがある。
【０００５】
ＲＧＢの３原色からなる白色発光を行うＬＥＤあるいは有機ＥＬ素子の発光スペクトルは、図６（ａ）に示すように、赤（ほぼ６２０ｎｍ）、緑（ほぼ５３０ｎｍ）、青（ほぼ４５５ｎｍ）の３箇所にピークを有する。この３原色をｘｙ色度図上に表すと図６（ｂ）に示す三角形の頂点となる。
【０００６】
また、より多くの色表現を実現するために、１つの画素を構成しているサブ画素の数より多い原色数で表示を行うことができる表示装置が提案されている（例えば、特許文献２参照。）。特許文献２には、例えば、３つのサブ画素で１つの画素を構成し、光源として短波長の青（Ｂ１）、長波長の青（Ｂ２）、短波長の緑（Ｇ１）、長波長の緑（Ｇ２）、短波長の赤（Ｒ１）、長波長の赤（Ｒ２）の６種類を設けている。そして、１つの画像を表示する表示期間を２つの分割期間に時分割し、第１の期間と第２の期間とにおける光源の発光色及びサブ画素の状態を異ならせるように制御することにより、サブ画素の種類より多い原色数で表示することを可能にしている。
【特許文献１】特開２００２−２２９０２１号公報（明細書の段落［００３０］〜［００３２］）
【特許文献２】特開２００４−１３８８２７号公報（明細書の段落［００４３］〜［００４７］）
【発明の開示】
【発明が解決しようとする課題】
【０００７】
一般のカラー印刷物、特に現在多く普及しているインクジェット方式のプリンターでの印刷物の色再現範囲と、パソコンやデジタルスチルカメラ等のディスプレイとして用いられる液晶カラーディスプレイの色再現範囲とを比べると、シアンの領域がプリンターの印刷物の方が広くなっている。その結果、液晶カラーディスプレイで見て、編集した画像をプリンターで印刷すると、印象が異なる印刷物が得られる。
【０００８】
また、印刷物を屋内で見る場合に、その照明装置として従来の赤（Ｒ）、緑（Ｇ）、青（Ｂ）の３原色からなる白色光を用いた場合、本来、印刷物の持つ色の再現が不十分となるという問題がある。
【０００９】
本発明は、前記従来の問題に鑑みてなされたものであって、その目的はカラー印刷の印刷物の色を液晶カラーディスプレイ上で再現可能としたり、ポスターや絵画等を屋内で鑑賞する際に色再現性を高めたりすることができる照明装置を提供することにある。
【課題を解決するための手段】
【００１０】
前記の目的を達成するため、請求項１に記載の発明は、一対の電極間に少なくとも電界の印加により発光し得る有機層が挟まれた有機ＥＬ素子を発光源として備えた照明装置であって、前記有機ＥＬ素子は、赤色光、緑色光、青色光の他にシアン色光に対応する発光ピークを有する。
【００１１】
有機ＥＬ素子から発光される赤色光、緑色光、青色光の三原色（ｓＲＧＢ）で表される色空間は、前記赤色光、緑色光、青色光の三原色をｘｙ色度図で表した場合、赤色、緑色、青色を頂点とした三角形の各辺で囲まれる範囲内となる。従って、三原色のみを発光する有機ＥＬ素子を光源とした場合、ｘｙ色度図において前記三角形の範囲外の色を良好に再現することはできない。例えば、カラープリンターの印刷物のインクには前記三角形の範囲外となるシアン系の色が含まれており、前記三原色の色を発光する照明装置では、カラープリンターの印刷物の色を忠実に再現することはできない。しかし、この発明の照明装置は、赤色光、緑色光、青色光の他に前記ｘｙ色度図において前記三角形の各辺で囲まれる範囲の外に位置するシアン色光の発光ピークが存在するため、従来の照明装置と異なり、カラー印刷の印刷物の色を液晶カラーディスプレイ上で再現可能としたり、ポスターや絵画等を屋内で鑑賞する際に色再現性を高めたりすることができる。
【００１２】
請求項２に記載の発明は、請求項１に記載の発明において、前記シアン色光の発光ピークは波長域が４８５ｎｍ〜５０５ｎｍの範囲にある。シアン色光の発光ピークの波長域が、前記範囲を逸脱した範囲にある場合は、緑色光の発光ピークや青色光の発光ピークの波長域に近すぎる状態となり、シアン色光と緑色光あるいはシアン色光と青色光との混合による良好な色表現（色調整）が難しくなる。しかし、シアン色光の発光ピークの波長域が前記範囲にある場合、シアン色光の光と他の色の光との混合で良好な色調整が可能となる。
【００１３】
請求項３に記載の発明は、請求項１又は請求項２に記載の発明において、前記有機層は、赤色光、緑色光、青色光及びシアン色光の発光層がそれぞれ互いに重ならない状態に形成されている。発光源となる有機ＥＬ素子からの発光は、赤色、緑色、青色及びシアン色の発光ピークを確実に有する。
【００１４】
請求項４に記載の発明は、請求項１〜請求項３のいずれか一項に記載の発明において、前記照明装置は液晶表示装置のバックライト用の照明装置である。従って、この発明の照明装置をバックライトに使用することにより、カラー印刷の印刷物の色を液晶カラーディスプレイ上で再現することができる。また、液晶カラーディスプレイ上で色調整を行った画像の色の状態がカラープリンターによる印刷物に良好に反映されて違和感がなくなる。
【発明の効果】
【００１５】
本発明によれば、カラー印刷の印刷物の色を液晶カラーディスプレイ上で再現可能としたり、ポスターや絵画等を屋内で鑑賞する際に色再現性を高めたりすることができる。
【発明を実施するための最良の形態】
【００１６】
以下、本発明をフルカラーの液晶表示装置のバックライトに具体化した一実施形態を図１〜図３にしたがって説明する。図１（ａ）は液晶表示装置の模式図、（ｂ）は液晶パネルの模式部分断面図、（ｃ）は照明装置の模式部分断面図である。
【００１７】
図１（ａ）に示すように、液晶表示装置１１は、透過型の液晶パネル１２と、その背面（表示面と反対側の面）側に配置されるバックライトとしての照明装置１３とを備えている。
【００１８】
液晶パネル１２は、１画素が４個のサブ画素で構成されている点と、カラーフィルタとして赤色、緑色、青色及びシアン色の光を透過する領域が各サブ画素と対向してそれぞれ設けられたカラーフィルタを備えている点とが異なり、その他の構成は公知のフルカラー表示用の液晶パネルと基本的に同じである。
【００１９】
図１（ｂ）に示すように、液晶パネル１２は、一対の透明な基板１４，１５を備え、両基板１４，１５は所定の間隔を保った状態で、図示しないシール材により貼り合わされて、その間に液晶１６が封止されている。基板１４，１５は例えばガラス製である。照明装置１３側に配置された一方の基板１４には、液晶１６と対向する面に画素電極１７と、画素電極１７に接続された薄膜トランジスタ（ＴＦＴ）１８とが多数形成されている。画素電極１７はＩＴＯ（インジウム錫酸化物）で形成されている。４個の画素電極１７が１組で１個の画素を構成している。また、基板１４には、液晶１６と反対側の面に偏光板１９が形成されている。
【００２０】
他方の基板１５には液晶１６側の面にカラーフィルタ２０が形成され、カラーフィルタ２０上には全画素共通の透明電極２１が形成されている。透明電極２１もＩＴＯで形成されている。カラーフィルタ２０は、赤色、緑色、青色及びシアン色の光を透過する領域２０ａ，２０ｂ，２０ｃ，２０ｄがサブ画素を構成する各画素電極１７と対応するように配設されている。各領域２０ａ〜２０ｄはブラックマトリックス２２で区画されている。基板１５の液晶１６と反対側の面には偏光板２３が形成されている。
【００２１】
図１（ｃ）に示すように、照明装置１３は、一対の電極２４，２５間に少なくとも電界の印加により発光し得る有機層２６が挟まれた有機ＥＬ素子２７を発光源として備えている。有機ＥＬ素子２７は、基板２８側から第１の電極２４、有機層２６及び第２の電極２５が順に積層されて形成されている。有機ＥＬ素子２７は、有機層２６が水分（水蒸気）及び酸素の悪影響を受けないように、保護膜２９で被覆されている。
【００２２】
この実施形態では、基板２８として透明なガラス基板が使用されている。また、第１の電極２４が陽極を構成し、第２の電極２５が陰極を構成する。第１の電極２４は、公知の有機ＥＬ素子で透明電極として用いられるＩＴＯ（インジウム錫酸化物）により形成され、光透過性を有する。第２の電極２５は、金属（例えば、アルミニウム）で形成され、光反射性を有する。有機ＥＬ素子２７は、有機層２６からの光が基板２８側から取り出される（出射される）所謂ボトムエミッションタイプに構成されている。保護膜２９は、例えば窒化ケイ素で形成されている。
【００２３】
有機層２６は、第１の電極２４側から順に正孔輸送層３０、発光層３１及び電子輸送層３２が積層されて形成されている。発光層３１は、赤色光、緑色光、青色光及びシアン色光の発光層３１ａ，３１ｂ，３１ｃ，３１ｄがそれぞれ互いに重ならない状態に形成されて構成されている。各発光層３１ａ，３１ｂ，３１ｃ，３１ｄは、カラーフィルタ２０の各赤色、緑色、青色及びシアン色の領域２０ａ〜２０ｄの幅とほぼ同じ幅のストライプ状に形成されている。即ち、有機ＥＬ素子２７の赤色光の発光層３１ａからの発光がカラーフィルタ２０の赤色の領域２０ａを通過し、緑色光の発光層３１ｂからの発光が緑色の領域２０ｂを通過し、青色光の発光層３１ｃからの発光が青色の領域２０ｃを通過し、シアン色光の発光層３１ｄからの発光がシアン色の領域２０ｄを通過するようになっている。
【００２４】
なお、図１（ｂ），（ｃ）は実際の液晶パネル１２及び照明装置１３を表現した図ではなく、その構成等を説明するために、その構成を模式的に示したものであり、各構成要素の大きさや厚さの比は実際と異なる。
【００２５】
正孔輸送層３０は、この実施形態ではホール輸送層材料として末端フェニルのメタ位にメチル基を持つトリフェニルアミンの４量体（ＴＰＴＥ）を用い、真空蒸着法にて形成されている。電子輸送層３２は、この実施形態では電子輸送層材料として８−キノリノール誘導体の金属錯体のトリス（８−キノリノール）アルミニウム（Ａｌｑ３）を用い、真空蒸着法にて形成されている。
【００２６】
赤色光の発光層３１ａは、ＴＰＴＥをホストとし、ＤＣＪＴＢ：（４−dicyanomethylene−６−cp−julolidinostyryl−２−tert−butyl −４Ｈ−pyran ）をドーパント（発光色素）として形成され、真空蒸着法（共蒸着）にて形成されている。ＤＣＪＴＢはＴＰＴＥに対して、例えば、０．５重量％になるように含有されている。このＤＣＪＴＢよりなる発光色素は赤色発光する色素でなので、発光層３１ａにおいて赤色発光する。
【００２７】
緑色光の発光層３１ｂは、この実施形態ではホストをＡｌｑ３とし、キナクリドン（Ｑｄ）をドーパント（発光色素）として形成され、真空蒸着法（共蒸着）にて形成されている。このキナクリドン（Ｑｄ）よりなる発光色素は緑色発光する色素なので、発光層３１ｂにおいて緑色発光する。
【００２８】
青色光の発光層３１ｃは、この実施形態ではホストをＤＰＶＢｉ：４，４−Ｂis（２，２−diphenyl−ethen −１−yl）−biphenylとし、ドーパント（発光色素）をＢＣｚＶＢｉ：４，４’−（Ｂis（９−ethyl −３−carbazovinylene ）−１，１’−biphenylとして形成され、真空蒸着法（共蒸着）にて形成されている。ＢＣｚＶＢｉはＤＰＶＢｉに対して５．０重量％になるように含有されている。このＢＣｚＶＢｉよりなる発光色素は青色発光する色素でなので、発光層３１ｃにおいて青色発光する。
【００２９】
シアン色光の発光層３１ｄは、ＢＡｌｑ２：ビス（２−メチル−８−キノリラート）（ｐ−フェニルフェノラート）アルミニウム (III)で形成され、真空蒸着法にて形成されている。
【００３０】
なお、ＤＣＪＴＢ及びＢＡｌｑ２は以下の化学式で表される。
【００３１】
【化１】
2006024648.tif 000003
次に前記のように構成された液晶表示装置１１の作用を説明する。
【００３２】
液晶表示装置１１の電源が投入され、液晶パネル１２の表示画面に画像を表示させる際、液晶パネル１２においては、図示しない制御装置からの指令信号により、表示すべき画像に対応する所定の画素の液晶１６に電圧が印加されることで前記画素が表示状態、即ち、照明装置１３からの照射光（入射光）を透過可能な状態となる。そして、印可電圧の大きさに対応して液晶１６を透過する光量が増加するように制御される。
【００３３】
照明装置１３は、図示しない制御装置を介して第１の電極２４と第２の電極２５とに電圧が印加され、有機ＥＬ素子２７の全ての発光層３１ａ〜３１ｄが発光する。発光層３１ａは赤色に発光し、発光層３１ｂは緑色に発光し、発光層３１ｃは青色に発光し、発光層３１ｄはシアン色に発光する。そして、各発光層３１ａ〜３１ｄからの光は、基板２８から出射され、液晶パネル１２の基板１４側に入射する。照明装置１３から出射される光は、図２に実線で示すように短波長側から、青色光、シアン色光、緑色光及び赤色光に対応する発光ピークを有する光となる。発光ピークは、この実施形態では青色光がほぼ４５５ｎｍ、シアン色光がほぼ４９５ｎｍ、緑色光がほぼ５３０ｎｍ、赤色光がほぼ６２０ｎｍである。
【００３４】
そして、画素電極１７への電圧の印加状態に対応した量の光が液晶１６を透過して、透明電極２１を経てカラーフィルタ２０の各領域２０ａ〜２０ｄを透過する。液晶表示装置１１の使用者はカラーフィルタ２０を透過した光により形成される画像を液晶表示装置１１の表示として視認する。なお、カラーフィルタ２０の各領域２０ａ〜２０ｄの透過率を、図２に破線で示す。
【００３５】
カラー画像を表示する際、画像の色は各画素における赤色、緑色、青色の三原色とシアン色とを混合することで所望の色が調整される。この実施形態では、照明装置１３からは一定の光量で光が出射され、画素電極１７に印加される印可電圧の大きさによって各画素におけるカラーフィルタ２０を透過する光量、即ち各画素における三原色及びシアン色の混合割合が調整される。
【００３６】
赤色光、緑色光、青色光の三原色の光による色空間をｘｙ色度図で表した場合は、図３に示すように、赤色光（Ｒ）、緑色光（Ｇ）、青色光（Ｂ）を頂点とする三角形（ＲＧＢ）の各辺で囲まれる範囲内となる。そして、印刷物に使用されているシアンインクによるシアン系の色の多くは、前記三角形の外に存在する。そのため、赤色光、緑色光、青色光の三原色の光の混合では、カラープリンターの印刷物の色を忠実に再現することはできない。
【００３７】
しかし、この実施形態の照明装置１３は、前記三原色に加えて、前記三角形（ＲＧＢ）の外に位置するシアン色（Ｃ）を発光する発光層３１ｄが存在するため、赤色光、緑色光、青色光の三原色の光にシアン色光を加えた光による色空間は、図３に示す四角形（ＲＧＣＢ）の各辺で囲まれる範囲となる。即ち、三角形（ＲＧＢ）の各辺で囲まれる範囲の外側に位置する三角形（ＧＣＢ）の各辺で囲まれる範囲が色空間に加わることになる。その結果、印刷物に使用されているシアンインクによるシアン系の色の多くが、照明装置１３の出射光により再現可能な色空間内に存在する状態となり、従来の三原色の発光で色調整を行う場合に比較して、カラープリンターの印刷物の色の再現が良好となる。
【００３８】
この実施形態では以下の効果を有する。
（１）液晶表示装置１１のバックライトとして使用される照明装置１３は、一対の電極２４，２５間に電界の印加により発光し得る有機層２６が挟まれた有機ＥＬ素子２７を発光源として備えており、有機ＥＬ素子２７は、赤色光、緑色光、青色光の他にシアン色光に対応する発光ピークを有する。従って、シアン色に対応する発光ピークを有しない従来のカラーモニタ用のバックライトと異なり、印刷物のシアン系の色も液晶パネル１２の画面上で忠実に再現することが可能となる。また、デジタルスチルカメラで撮影した画像の編集を液晶表示装置１１で行い、液晶パネル１２の画面上で色調整を行った画像をプリンターで印刷しても違和感のない印刷画像が得られる。
【００３９】
（２）緑色光の発光ピークや青色光の発光ピークの波長域に近すぎる状態では、シアン色光と緑色光あるいはシアン色光と青色光との混合による良好な色表現（色調整）が難しくなる。しかし、シアン色光の発光ピークの波長域が４８５ｎｍ〜５０５ｎｍの範囲にあるため、シアン色光と他の色の光との混合で良好な色調整が可能となる。
【００４０】
（３）有機層２６は、赤色光、緑色光、青色光及びシアン色光の発光層３１ａ〜３１ｄがそれぞれ互いに重ならない状態に形成されているため、発光源となる有機ＥＬ素子２７からの発光は、赤色光、緑色光、青色光及びシアン色光の発光ピークを確実に有する。
【００４１】
実施形態は前記に限らず、例えば次のように構成してもよい。
○  照明装置１３は、液晶表示装置１１のバックライトではなく、屋内で使用される照明装置１３に具体化してもよい。液晶表示装置１１のバックライトに使用する場合は、各発光層３１ａ〜３１ｄの幅が液晶パネル１２のサブ画素の幅と同等の幅に形成する必要があり、精細な画面を得るには、各発光層３１ａ〜３１ｄの幅をそれに対応して狭く形成する必要がある。しかし、屋内で使用される照明装置１３の場合は、各発光層３１ａ〜３１ｄの出射光を目で見て単独の赤色光、緑色光、青色光及びシアン色光の区別ができなくなる幅に形成すればよく、前記実施形態に比較して各発光層３１ａ〜３１ｄの幅を広幅に形成してもよい。この照明装置１３を使用して印刷物や絵画を見る場合、図４に示すように、照明装置１３からは赤色、緑色、青色及びシアン色の発光ピークを持った光が出射されるため、印刷物３３にシアン色のインクを混合して調整されたシアン系の色が使用されていても、良好に再現することができる。
【００４２】
○  印刷物や絵画を鑑賞する際に使用する照明装置１３の場合、照明装置１３の光出射面側に拡散板や拡散層等の拡散部を設けてもよい。この場合、拡散部を設けない場合に比較して各発光層３１ａ〜３１ｄの幅を広くすることが可能になり、各発光層３１ａ〜３１ｄの形成が容易になる。
【００４３】
○  有機ＥＬ素子２７を構成する発光層３１は、各発光層３１ａ〜３１ｄが相互に重ならないように形成される構成に限らない。例えば、図５に示すように、三原色の発光層３１ａ，３１ｂ，３１ｃは正孔輸送層３０上に順に重なる状態で積層され、シアン色光の発光層３１ｄは重ならない状態に形成してもよい。赤色光、緑色光、青色光の発光層３１ａ〜３１ｃを積層して形成した構成で、両電極２４，２５に電圧を印加しても赤色光、緑色光、青色光の発光ピークを有する白色光が良好に発光される有機材料が多数知られているため、この構成を採用しても何ら支障はない。発光層３１ａ〜３１ｃの積層順は図５の状態に限らない。
【００４４】
○  シアン色光の発光層３１ｄとして他の発光層３１ａ〜３１ｃと重なる状態で積層しても発光ピークに支障を来さない組合せの場合、全ての発光層３１ａ〜３１ｄを重なる状態で積層してもよい。この場合、各発光層３１ａ〜３１ｄを各画素電極１７の幅に形成する必要がなく、製造が容易になる。
【００４５】
○  有機層２６を構成する正孔輸送層３０及び電子輸送層３２を形成する有機材料は前記実施形態に記載されたものに限らない。正孔輸送層形成用の材料としては、例えば、銅フタロシアニン、テトラ（ｔ−ブチル）銅フタロシアニン等の金属フタロシアニン類及び無金属フタロシアニン類、キナクリドン化合物、１、１−ビス（４−ジ−ｐ−トリルアミノフェニル）シクロヘキサン、Ｎ、Ｎ’−ジフェニル−Ｎ、Ｎ’−ビス（３−メチルフェニル）−１、１’−ビフェニル−４、４’−ジアミン、Ｎ、Ｎ’−ジ（１−ナフチル）−Ｎ、Ｎ’−ジフェニル−１、１’−ビフェニル−４、４’−ジアミン等の芳香族アミンなどの低分子材料や、ポリチオフェン、ポリアニリン等の高分子材料、ポリチオフェンオリゴマ−材料、その他既存の正孔輸送材料の中から選ぶことができる。
【００４６】
電子輸送層形成用の材料としては、例えば、２−（４−ビフィニルイル）−５−（４−ｔ−ブチルフェニル）−１、３、４−オキサジアゾ−ル、２、５−ビス（１−ナフチル）−１、３、４−オキサジアゾ−ル及びオキサジアゾ−ル誘導体やビス（１０−ヒドロキシベンゾ［ｈ］キノリノラ−ト）ベリリウム錯体、トリアゾ−ル化合物等が挙げられる。
【００４７】
○  発光層３１ａ〜３１ｃを形成する有機材料も前記実施形態に記載されたものに限らず、既存の発光材料を用いることができる。赤色光の発光層３１ａ形成用の材料としては、例えば、ＴＰＴＥをホストとし、ＤＣＪＴをドーパントとしたもの等が挙げられる。ＤＣＪＴは、ＤＣＪＴＢのtert−ブチル基をメチル基に置換した構造の化学物質である。緑色光の発光層３１ｂ形成用の材料としては、例えば、Ａｌｑ３を発光層として使用するものやベンゾキノリノールベリリウム錯体（Ｂｅｂｑ２）等が挙げられる。また、Ａｌｑ３をホストとし、１０−（２−Ｂenzothiazolyl ）−２，３，６，７−tetrahydro−１，１，７，７−tetramethyl −１Ｈ，５Ｈ，１１Ｈ−［１］benzopyrano[６，７，８−ij]quinolizin −１１−one （Ｃ５４５Ｔ）をドーパントとしたものを使用してもよい。なお、（Ｃ５４５Ｔ）は、イーストマン−コダック社の商品名である。青色光の発光層３１ｃ形成用の材料としては、例えば、亜鉛のベンズオキサゾール錯体（Ｚｎ（ｏｘｚ）２）が挙げられる。
【００４８】
○  有機ＥＬ素子２７は、一対の電極２４，２５間に少なくとも電界の印加により発光し得る有機層２６が挟まれた構成で、赤色光、緑色光、青色光の他にシアン色光に対応する発光ピークを有すればよい。従って、有機層２６は、正孔輸送層３０、発光層３１及び電子輸送層３２の３層構成に限らない。例えば、正孔注入層を第１の電極２４（陽極）と正孔輸送層３０との間に設けたり、電子輸送層３２と第２の電極２５（陰極）との間に電子注入層を設けたり、あるいは発光層３１を挟んで正孔注入輸送層と電子注入輸送層とを設けたりしてもよい。また、有機層２６には、公知の有機ＥＬ層に採用され得るバッファ層や正孔ブロック層等を設けることも当然に可能である。これらの層も、公知の材料を用いて公知の製法によって設けることができる。また、発光層の材料によっては、有機層２６を発光層３１のみから構成してもよい。
【００４９】
○  有機ＥＬ素子２７はボトムエミッション型の構成に限らず、基板２８と反対側から光を出射する所謂トップエミッション型の構成としてもよい。トップエミッション型の有機ＥＬ素子２７は、第２の電極２５が透明電極で構成され、第１の電極２４は透明電極で構成されても不透明な電極で構成されてもよい。また、基板２８は透明基板に限らず、不透明な基板であってもよい。陰極からの電子注入効率を高くするためには、陰極を形成する材料の仕事関数が、一般には４．０ｅＶ以下が好ましい。しかし、ＩＴＯの仕事関数は４．８ｅＶのため、第２の電極２５をＩＴＯで形成した場合は、発光層３１と第２の電極２５との間の発光層３１側に電子輸送層３２、第２の電極２５側に電子注入層を設けるのが好ましい。また、陽極の材料は、仕事関数が大きいものの方が正孔を注入し易いため好ましい。ＩＴＯは陽極の材料として好ましいが、トップエミッション型の構成では第１の電極２４は透明である必要がないためＩＴＯより抵抗の小さな金属を使用できる。金属の仕事関数（単位ｅＶ）は、クロムが４．５、ニッケルが５．１５、金が５．１、パラジウムが５．５５、銅が４．６５、アルミニウムが４．２８、マグネシウムが３．３６である。従って、第１の電極２４を金属製にした場合は、正孔輸送層３０と第１の電極２４との間に正孔注入層を設ける方が好ましい。
【００５０】
○  ボトムエミッション型の有機ＥＬ素子２７において第２の電極２５は光反射性を有していなくてもよい。しかし、光反射性を有する方が発光層３１から第２の電極２５側に向かった光が第２の電極２５で反射されて第１の電極２４側から出射されるため、第２の電極２５の反射光を利用しない形態に比較して、有機ＥＬ素子２７から出射する光量を多くすることができる。
【００５１】
○  保護膜２９の材料は、窒化ケイ素に限らず、有機層２６を外部の酸素や水分から遮断できるものであればよく、酸化ケイ素やダイヤモンド・ライク・カーボンを使用したり、高分子材料を使用したりしてもよい。また、有機ＥＬ素子２７の基板２８と対向した部分以外を保護膜２９で覆う代わりに、ガラスカバーや金属缶で封止してもよい。
【００５２】
○  液晶パネル１２の各画素の形状は、長方形のサブ画素を４個平行に配置した構成に限らず、例えば、４個のサブ画素を田字状に配置してもよい。また、サブ画素の形状を四角形以外の形状、例えば三角形や六角形に形成し、それに対応して照明装置１３の各発光層３１ａ〜３１ｄの形状を変更してもよい。
【００５３】
以下の技術的思想（発明）は前記実施形態から把握できる。
（１）請求項１又は請求項２に記載の発明において、前記有機層は、赤色光、緑色光、青色光の発光層が互いに重なる状態で積層形成され、シアン色光の発光層はそれらの積層発光層と重ならない状態に形成されている。
【００５４】
（２）請求項１又は請求項２に記載の発明において、前記有機層は、赤色光、緑色光、青色光及びシアン色光の発光層が互いに重なる状態で積層形成されている。
（３）請求項４に記載の発明において、前記有機層は、赤色光、緑色光、青色光及びシアン色光の発光層が、液晶表示装置のサブ画素の幅とほぼ等しい幅でストライプ状に形成されている。
【００５５】
（４）液晶パネルと、前記液晶パネルの表示面と反対側に設けられ、一対の電極間に少なくとも電界の印加により発光し得る有機層を有する有機ＥＬ素子を発光源とする照明装置とを備えた液晶表示装置であって、前記液晶パネルは、１画素が４個のサブ画素で構成されるとともに各サブ画素に対応して、赤色、緑色、青色及びシアン色の光を透過する領域が設けられたカラーフィルタを備え、前記有機ＥＬ素子は、前記カラーフィルタの赤色、緑色、青色及びシアン色の領域と対応して赤色光、緑色光、青色光及びシアン色光の発光層が設けられている液晶表示装置。
【００５６】
（５）液晶パネルと、前記液晶パネルの表示面と反対側に設けられ、一対の電極間に少なくとも電界の印加により発光し得る有機層を有する有機ＥＬ素子を発光源とする照明装置とを備えた液晶表示装置であって、前記液晶パネルは、１画素が４個のサブ画素で構成されるとともに各サブ画素に対応して、赤色、緑色、青色及びシアン色の光を透過する領域が設けられたカラーフィルタを備え、前記有機ＥＬ素子は、前記カラーフィルタの赤色、緑色、青色の領域と対応する領域には赤色光、緑色光及び青色光の発光層が重なる状態で積層され、シアン色の領域と対応する領域にはシアン色光の発光層が設けられている液晶表示装置。
【００５７】
（６）一対の電極間に少なくとも電界の印加により発光し得る有機層が挟まれた有機ＥＬ素子を発光源として備えた照明装置であって、前記有機ＥＬ素子は、赤色光、緑色光、青色光に対応する発光ピークを有し、かつｘｙ色度図において前記赤色光、緑色光及び青色光を示す位置を頂点とする三角形の外側に位置するシアン色光に対応する発光ピークを有する照明装置。
【００５８】
（７）請求項１〜請求項４及び前記技術的思想（１）〜（６）のいずれか一項に記載の発明において、前記有機ＥＬ素子は基板上に設けられている。
【図面の簡単な説明】
【００５９】
【図１】（ａ）は液晶表示装置の模式図、（ｂ）は液晶パネルの模式部分断面図、（ｃ）は照明装置の模式部分断面図。
【図２】各発光層の発光ピーク及びカラーフィルタの透過状態を示すグラフ。
【図３】赤色光、緑色光、青色光及びシアン色光の関係を表すｘｙ色度図。
【図４】別の実施形態の模式図。
【図５】別の実施形態における照明装置の模式部分断面図。
【図６】（ａ）は従来の白色ＥＬ素子の発光スペクトルを示すグラフ、（ｂ）は赤色光、緑色光、青色光の関係を表すｘｙ色度図。
【符号の説明】
【００６０】
１１…液晶表示装置、１３…照明装置、２４…第１の電極、２５…第２の電極、２６…有機層、２７…有機ＥＬ素子、３１，３１ａ，３１ｂ，３１ｃ，３１ｄ…発光層。
【図１】
2006024648.tif 000004
【図２】
2006024648.tif 000005
【図３】
2006024648.tif 000006
【図４】
2006024648.tif 000007
【図５】
2006024648.tif 000008
【図６】
2006024648.tif 000009